(57)【要約】【課題】低コストで高画角で、収差が良好に補正された接眼レンズとこの接眼レンズを備えた顕微鏡を提供する。【解決手段】第１の接眼レンズと交換可能な複数の接眼レンズのうちの一つであって第１の接眼レンズとは異なる倍率を有していて、交換可能な複数の接眼レンズで共通なレンズ群を有するようにした接眼レンズおよびこの接眼レンズを備えた顕微鏡を構成した。このように共通なレンズ群を有することにより低コストで収差が良好に補正されるようにした。【選択図】　　　　　　図１
2004012563.tif 000002
【特許請求の範囲】
【請求項１】
第一の接眼レンズと交換可能な複数の接眼レンズのうちの１つであって、前記第一の接眼レンズと異なる倍率を有し、前記交換可能な複数の接眼レンズで共通なレンズ群を有することを特徴とする接眼レンズ。
【請求項２】
第一の接眼レンズと交換可能な複数の接眼レンズのうちの１つであって、前記第一の接眼レンズと異なる倍率を有し、第１レンズ群のみ、あるいは第１レンズ群と第２レンズ群で構成されており、分離可能な二つのユニットで構成されており、一方のユニットに前記第１レンズ群のみが配置されていることを特徴とする接眼レンズ。
【請求項３】
請求項１または請求項２の接眼レンズを備えた顕微鏡。
【発明の詳細な説明】
【０００１】
【発明の属する技術分野】
本発明は、顕微鏡等の光学機器の接眼レンズに関するものである。
【０００２】
【従来の技術】
従来、顕微鏡等の光学機器の接眼レンズで、各倍率ごとに異なる複数の接眼レンズを用意するものがある。また、特開昭５７−１８５４０８号公報に記載されている接眼レンズのように、視野レンズを交換するものが知られている。
【０００３】
【発明が解決しようとする課題】
前記従来例のうち複数の接眼レンズを用意して交換して使用する方法は、各倍率個々に全く異なる設計の接眼レンズを用意しなければならない。そのため、用意するレンズの種類が多くなり、コストの面から好ましくない。前記の特開昭５７−１８５４０８号公報の接眼レンズは、共通となるレンズが１枚である。よって各々の倍率において必ず眼側にレンズ群を必要とする。
【０００４】
本発明は、低コストでかつ高画角であって、収差が良好に補正された接眼レンズ、およびこの接眼レンズを備えた顕微鏡を提供するものである。
【０００５】
【課題を解決するための手段】
本発明の接眼レンズは、第一の接眼レンズと交換可能な複数の接眼レンズのうちの１つであって、前記第一の接眼レンズと異なる倍率を有し、前記交換可能な複数の接眼レンズで共通なレンズ群を有することを特徴とす。
【０００６】
また、本発明の接眼レンズは、第一の接眼レンズと交換可能な複数の接眼レンズのうちの１つであって、前記第一の接眼レンズと異なる倍率を有し、第１レンズ群のみ、あるいは第１レンズ群と第２レンズ群で構成されており、分離可能な二つのユニットで構成されており、一方のユニットに前記第１レンズ群のみが配置されていることを特徴とする。
【０００７】
更に、本発明の顕微鏡は、上記の本発明の接眼レンズを装着したことを特徴とする。
【０００８】
本発明の接眼レンズでは、複数の接眼レンズのうち、低倍率の接眼レンズを１つのレンズ群（第１レンズ群）で構成する。一方、この低倍率の接眼レンズよりも高倍率の接眼レンズは、２つのレンズ群で構成する。この時、高倍率の接眼レンズ（複数）は、各々上記第１レンズ群を共通レンズとしている。そして、第１レンズ群よりも対物レンズ側に、第２レンズ群を配置する構成としている。
【０００９】
顕微鏡には、異なる倍率の接眼レンズが取り付けられるようになっている。通常用いられるのは倍率が１０倍程度の接眼レンズで、その他に、倍率が１５倍、２０倍、３０倍の接眼レンズが用いられる。
【００１０】
上記各倍率の接眼レンズを例にして本発明の接眼レンズを説明すると、１０倍接眼レンズが第１の接眼レンズに該当する。第１の接眼レンズとしては、例えば特開平５−４０２３２号公報に開示されたものがある。一方、１５倍、２０倍、３０倍の接眼レンズが、交換可能な複数の接眼レンズに該当する。そして、１５倍の接眼レンズが１つのレンズ群で構成されていて、２０倍、３０倍の接眼レンズが２つのレンズ群で構成されていることになる。そして更に、１５倍の接眼レンズで用いられているレンズ群が、２０倍、３０倍の接眼レンズに用いられている。
【００１１】
前述のように、複数の接眼レンズのうち、低倍率の接眼レンズは第１レンズ群よりも対物レンズ側に中間像が形成されるので、外焦点レンズになる。一方、この低倍率の接眼レンズよりも高倍率の接眼レンズは、第１レンズ群と第２レンズ群の間に中間像が形成されるので、内焦点レンズになる。
【００１２】
本発明の接眼レンズは、第１レンズ群を共通のレンズ群とし、下記条件（１）を満足するようにした。
（１）　　１６＜ｆ１＜１８　　（ｍｍ）
ただし、ｆ１は第１レンズ群の焦点距離である。
【００１３】
条件（１）の上限の１８ｍｍを上回ると、第２レンズ群を組み合わせた接眼レンズは、アイポイント距離が長い接眼レンズになってしまう。そのため、接眼レンズとして使いにくい。また、アイポイント距離を短くしようとすると、収差を良好に補正し得なくなる。
【００１４】
また、条件（１）の下限の１６ｍｍを下回ると、第１レンズ群のみで構成される接眼レンズのアイポイント距離が短くなる。また、２つのレンズ群で構成される接眼レンズは、対物レンズによる像とこの像に最も近いレンズとの距離が小になる。そのために、像に最も近いレンズ面の傷やゴミ等が目立ちやすい。また、対物レンズに最も近いレンズの外径が大になり、ＪＩＳに基づくスリーブ径内に収めるためには画角を小さくしなければならない。
【００１５】
また、本発明の接眼レンズで、第１レンズ群と第２レンズ群とよりなる内焦点接眼レンズは、下記条件（２）を満足することが望ましい。
（２）　　１．２５＜ｆ１／ｆ＜２．５
ただし、ｆは内焦点接眼レンズの焦点距離である。
【００１６】
この条件（２）は、接眼レンズの第２レンズ群の倍率を規定するものである。
【００１７】
接眼レンズの収差の一つに像面湾曲がある。この接眼レンズの像面湾曲は、接眼レンズの入射瞳位置によるところが大きい。第１レンズ群単独で性能が良好になるようにし、かつ第２レンズ群を組み合わせた時も性能を良好に保つためには、物体から光線を通したとき、第１レンズ群で最適な入射瞳位置と、第２レンズ群の射出瞳位置が近い方が好ましい。
【００１８】
前記条件（２）の上限の２．５を上回ると、第２レンズ群の倍率が大になった時、光線が光軸に対し急な角度で第２レンズ群から射出される。そのため、第２レンズ群の射出瞳位置が第１レンズ群の最適な入射瞳位置から観察側に大きく突出した位置になる。その結果、大きな像面湾曲が発生してしまう。また、第１レンズ群の外径に対し光線高が高くなりすぎてしまう。そのため光線高を抑えるためには画角を小さくしなければならない。
【００１９】
前記条件（２）の下限の１．２５を下回ると、第２レンズ群の倍率が小になった時、第２レンズ群の外径が大になり、スリーブ径に収めるために画角を小にしなければならない。
【００２０】
また、本発明の接眼レンズにおいて、物体側から光線を通した時、第１レンズ群の最適な入射瞳位置に、第２レンズ群の射出瞳位置を近づけるために、かつ、安価に第２レンズ群を構成するためには、第２レンズ群を１群２枚の接合レンズにて構成し、物体側に凹面を向けたメニスカスレンズまたは凹平レンズにすることが好ましい。
【００２１】
そして、第２レンズ群が下記条件（３）を満足することが望ましい。
（３）　　０．５＜Ｄ２／Ｄ１＜１．０
ただし、Ｄ１は第１レンズ群の最も眼側の面から最も対物レンズ側の面までの距離、Ｄ２は第２レンズ群の最も眼側の面から最も対物レンズ側の面までの距離である。
【００２２】
本発明の接眼レンズは、対物レンズによる物体像を第２レンズ群にて拡大し、かつ物体側から光線を通した時、第１レンズ群の最適な入射瞳位置に、第２レンズ群の射出瞳位置を近づけるために、第２レンズ群内での光線高を光軸に対し高くしておく必要がある。
【００２３】
条件（３）の下限の０．５を下回ると、第２レンズ群内で光線高を高くできず、結果として光線は光軸に対し急な角度にて第２レンズ群より射出されることになる。そのため、第２レンズ群の射出瞳位置は、第１レンズ群の最適な入射瞳位置から観察側に大きく突出した位置になる。また、第１レンズ群の外径に対して光線高が高くなりすぎ、光線高を抑えるためには、画角を小さく抑えなければならない。
【００２４】
また、条件（３）の上限の１．０を上回ると、第２レンズ群内での光線高は高くなる。しかし、第２レンズ群の外径が大になりすぎて、スリーブ径に収まらなくなる。また、第２レンズ群を構成するレンズのコストが高くなり好ましくない。
【００２５】
本発明の接眼レンズにおいて、第１レンズ群を光軸に沿って前後に移動可能に構成するのがよい。このようにすると、視度調整が可能になる。本発明の接眼レンズでは、第１レンズ群と第２レンズ群の間に中間像が形成される。しかも、第１レンズ群は共通であるので、焦点距離も同じになる。そのため、どの接眼レンズを用いて観察しても、常に同じ量だけ第１レンズ群を移動させれば、最適な視度での観察が可能になる。また、移動するためのシステム、パーツをすべて共通に使用し得るため、安価に接眼レンズを提供し得る。
【００２６】
本発明の接眼レンズは、前述のように倍率の異なる複数の接眼レンズのうちの一つであって、他の接眼レンズとそれを構成する一つのレンズ群を前記複数の接眼レンズのすべてのレンズ系に共通させるようにしたものである。このように一つのレンズ群を複数の接眼レンズに共通化することにより、コストを大幅に低減させることが可能になる。その結果、一つ一つの接眼レンズ自身のコストも低く抑えられる。したがって利用者も安い接眼レンズを使用し得る。更に倍率の異なる複数の接眼レンズを利用する場合も、全体としても低コストでの使用が可能となる。また、複数の倍率の異なる本発明の接眼レンズを用いる場合、第１レンズ群と他の第２レンズ群との組み合わせ、また第２レンズ群の交換による多くの倍率の接眼レンズを構成し得る。
【００２７】
【発明の実施の形態】
次に、本発明の接眼レンズの実施の形態を、図示する実施例にもとづいて説明する。
【００２８】
図１乃至図３は、夫々本発明の接眼レンズの実施例１乃至実施例３を示す。また、これら実施例１乃至実施例３のデータは下記の通りである。
【００２９】
2004012563.tif 000003
【００３０】
2004012563.tif 000004
2004012563.tif 000005
【００３１】
2004012563.tif 000006
上記データにおいて、面番号は眼側より順に記載してあり、各面番号は図において順に、ｒ１、ｒ２、・・・が対応する。したがって曲率半径の値は順にｒ１、ｒ２、・・・の値、面の値は順に図におけるｄ１、ｄ２、・・・である。また、屈折率、アッベ数は、眼側より順に各レンズの値を夫々示している。
【００３２】
本発明の接眼レンズの実施例１は、図１に示す通りで、（Ａ）、（Ｂ）、（Ｃ）は夫々倍率の異なる接眼レンズである。これら接眼レンズのうち、（Ａ）に示す接眼レンズは、平凸レンズと両凸レンズと両凸レンズと両凹レンズの接合メニスカスレンズとよりなり、第１レンズ群Ｇ１のみよりなる。この（Ａ）に示す第１の接眼レンズは、倍率が約１５倍の接眼レンズである。
【００３３】
この第１の接眼レンズは、外焦点である。
【００３４】
また、図１の（Ｂ）は、第１の実施例の第２の接眼レンズで、第１の接眼レンズの第１レンズ群と同じ共通のレンズ群Ｇ１のほかに両凸レンズと両凹レンズを接合した接合メニスカスレンズよりなる第２レンズ群Ｇ２を配置した構成である。この第２の接眼レンズ倍率は、約２０倍である。
【００３５】
更に図１の（Ｃ）に示す接眼レンズは、第１、第２の接眼レンズと共通の第１レンズ群Ｇ１の物体側に第２の接眼レンズの第２レンズ群２Ｇｂとは異なる第２レンズ群２Ｇｃを配置した構成の第３の接眼レンズである。この第３の接眼レンズの第２レンズ群２Ｇｃは、平凸レンズと両凹レンズとを接合した平凹形状の接合レンズである。この第３の接合レンズの倍率は、約３０倍である。
【００３６】
本発明の実施例１の第１、第２、第３の接眼レンズの収差状況は夫々図４の（Ａ）、（Ｂ）、（Ｃ）に示す通りである。
【００３７】
本発明の接眼レンズの実施例２は、図２に示す通りで、（Ａ）、（Ｂ）、（Ｃ）は夫々倍率の異なる接眼レンズである。これら接眼レンズのうち、図２の（Ａ）に示す接眼レンズは、平凸レンズと両凸レンズと負のメニスカスレンズとを接合した正の接合レンズと、両凸レンズと両凹レンズの負の接合レンズとよりなり、第１レンズ群Ｇ１のみよりなる。この（Ａ）に示す第１の接眼レンズは、倍率が約１５倍の接眼レンズである。
【００３８】
この第１の接眼レンズは、外焦点である。
【００３９】
また、図２の（Ｂ）は、実施例２の第２の接眼レンズで、第１の接眼レンズの第１レンズ群と同じ共通のレンズ群Ｇ１のほかに負のメニスカスレンズと正のメニスカスレンズを接合した接合メニスカスレンズよりなる第２レンズ群Ｇ２を配置した構成である。この第２の接眼レンズ倍率は、約２０倍である。
【００４０】
更に図２の（Ｃ）に示す接眼レンズは、第１、第２の接眼レンズと共通の第１レンズ群Ｇ１の物体側に第２の接眼レンズの第２レンズ群２Ｇｂとは異なる第２レンズ群２Ｇｃを配置した構成の第３の接眼レンズである。この第３の接眼レンズの第２レンズ群２Ｇｃは、平凹レンズと正のメニスカスレンズとを接合した平凹形状の接合レンズである。この第３の接合レンズの倍率は、約３０倍である。
【００４１】
この実施例２の第１、第２、第３の接眼レンズの収差状況は、図５の（Ａ）、（Ｂ）、（Ｃ）に示す通りである。
【００４２】
本発明の実施例３は、図３に示す構成である。この実施例３の第１の接眼レンズは、図３（Ａ）に示すように両凸レンズと、両凸レンズと両凹レンズを接合した第１レンズ群よりなる。
【００４３】
実施例３の第１の接眼レンズは、倍率が約１５倍である。
【００４４】
また、この実施例３の第２の接眼レンズは、図３の（Ｂ）にて示す構成のレンズ系で、（Ａ）に示す第１レンズ群１Ｇと同じレンズ群とその物体側に配置されている第２レンズ群２Ｇｂとよりなる。この第２レンズ群２Ｇｂは、負のメニスカスレンズと正のメニスカスレンズとを接合した負の接合メニスカスレンズよりなる。この第２の接眼レンズは、倍率が約２０倍である。
【００４５】
また、この実施例３の第３の接眼レンズは、図３の（Ｃ）に示す構成である。この第３の接眼レンズは、第１の接眼レンズの第１レンズ群Ｇ１と同じレンズ群の対物レンズ側に配置されている第２レンズ群２Ｇｃとより構成されている。この第２レンズ群２Ｇｃは、図示するように負のメニスカスレンズと正のメニスカスレンズを接合した負の接合メニスカスレンズよりなる。この第３の接眼レンズの第２レンズ群２Ｇｃは、図面およびデータに示すように、第２の接眼レンズの第２レンズ群２Ｇｂとは、面形状その他具体的構成が異なっている。
【００４６】
この第３の接眼レンズは、倍率が約３０倍である。
【００４７】
この実施例３の第１、第２、第３の接眼レンズの収差状況は、夫々図６の（Ａ）、（Ｂ）、（Ｃ）に示す通りである。
【００４８】
本発明は、以上述べた通りであって、特許請求の範囲に記載する発明のほか次の各項に示す発明も本発明の目的を達成し得る。
【００４９】
（１）　請求項１又は２に記載する接眼レンズであって、第１レンズ群のみあるいは観察側から順に、第１レンズ群、第２レンズ群より構成されていて、第１レンズ群が共通するレンズ群であることを特徴とする接眼レンズ。
【００５０】
（２）　前記の（１）の項に記載する接眼レンズを備えた顕微鏡。
【００５１】
（３）　前記の（１）又は（２）の項に記載する発明であって、第１レンズ群のみにて構成される接眼レンズが第１レンズ群単独で収差が良好に補正された外焦点型であり、第１レンズ群と第２レンズ群より構成される接眼レンズは、第１レンズ群と第２レンズ群の間に中間像を形成する収差が良好に補正された内焦点型である接眼レンズ。
【００５２】
（４）　前記の（３）の項に記載する接眼レンズを備えた顕微鏡。
【００５３】
（５）　前記の（３）の項に記載する接眼レンズで、第１レンズ群が３枚〜５枚のレンズにて構成され、下記条件（１）を満足する接眼レンズ。
（１）　　１６＜ｆ１＜１８　　（ｍｍ）
ただし、ｆ１は第１レンズ群の焦点距離である。
【００５４】
（６）　前記の（５）の項に記載する接眼レンズを備えた顕微鏡。
【００５５】
（７）　前記の（４）の項に記載する接眼レンズで、下記条件（２）を満足することを特徴とする接眼レンズ。
（２）　１．２５＜ｆ１／ｆ＜２．５
ただし、ｆは内焦点接眼レンズ全系の焦点距離である。
【００５６】
（８）　前記の（７）の項に記載する接眼レンズを備えた顕微鏡。
【００５７】
（９）　前記の（７）の項に記載する接眼レンズで、第２レンズ群が１群２枚構成であり、物体側に凹面を向けたメニスカスレンズ又は凹平レンズであることを特徴とする接眼レンズ。
【００５８】
（１０）　前記の（９）の項に記載する接眼レンズを備えた顕微鏡。
【００５９】
（１１）　前記の（９）の項に記載する接眼レンズで、下記条件（３）を満足することを特徴とする接眼レンズ。
（３）　　０．５＜Ｄ２／Ｄ１＜１．０
ただし、Ｄ１は第１レンズ群の眼側の最も眼側の面から最も対物側の面までの距離、Ｄ２は第２レンズ群の最も眼側の面から最も対物側の面までの距離である。
【００６０】
（１２）　前記の（１１）の項に記載する接眼レンズを備えた顕微鏡。
【００６１】
（１３）　特許請求の範囲の請求項１又は２に記載する接眼レンズで、光軸方向に移動させることによって視度調整が可能である接眼レンズ。
【００６２】
（１４）　前記の（１３）の項に記載する接眼レンズを備えた顕微鏡。
【００６３】
【発明の効果】
本発明によれば、低コストで高画角で、収差が良好に補正された接眼レンズ、およびこの接眼レンズを取り付けた顕微鏡を実現し得る。
【図面の簡単な説明】
【図１】本発明の実施例１の構成を示す図
【図２】本発明の実施例２の構成を示す図
【図３】本発明の実施例３の構成を示す図
【図４】本発明の実施例１の収差曲線図
【図５】本発明の実施例２の収差曲線図
【図６】本発明の実施例３の収差曲線図
【図１】
2004012563.tif 000007
【図２】
2004012563.tif 000008
【図３】
2004012563.tif 000009
【図４】
2004012563.tif 000010
【図５】
2004012563.tif 000011
【図６】
2004012563.tif 000012